(57)【要約】【課題】安価な構成でプラテンカバーの開閉に係らず、原稿台上の原稿の有無を検知できる画像読取装置を提供することにある。【解決手段】画像読取装置の原稿台の端部に、原稿が原稿台に載置され突き当てられ、照射手段により光が照射されると受光量が変化する受光量の可変部が設けられた突き当て手段を設ける。ここで、前記突き当て手段に照射手段により光を照射することにより得られたデータに基づいて、原稿台の原稿の状態を判断する。【選択図】  図４
2018014598.tif 000002
【特許請求の範囲】
【請求項１】
原稿台に載置された原稿に光を照射する照射手段と、
前記照射手段から照射された光の反射光を受光する受光手段と、
前記原稿が前記原稿台に載置される際に突き当てられると共に、突き当てられる原稿の有無に応じて前記受光手段が受光する受光量を変化させる受光量の可変部を有する突き当て手段と、
前記受光量の可変部の作用により変化する前記受光手段の受光の結果に基づいて、前記原稿台の原稿の状態を判定する判定手段とを有することを特徴とする画像読取装置。
【請求項２】
前記受光手段は、前記照射手段によって照射され、前記原稿台に載置された原稿によって反射する反射光を受光することで前記原稿台に載置される原稿の画像を読取り可能であって、
前記判定手段により前記原稿の状態を判定する際に前記照射手段により照射される光量は、通常の画像読取において前記照射手段により照射される光量よりも少ないことを特徴とする請求項１に記載の画像読取装置。
【請求項３】
前記突き当て手段は、前記原稿台の端部に予め定められた第１の方向に前記受光量の可変部を複数、設けることを特徴とする請求項１又は２に記載の画像読取装置。
【請求項４】
前記複数の受光量の可変部はそれぞれ凹形状であり、前記凹形状と前記原稿台に載置される原稿により前記受光手段の受光量が低下するように形成されることを特徴とする請求項３に記載の画像読取装置。
【請求項５】
前記判定手段は、前記原稿台に載置され前記突き当て手段に突き当てられた原稿に前記照射手段により光を照射することにより得られる前記受光手段の受光の結果に基づいて、前記複数の受光量の凹形状それぞれにより得られる受光量から前記第１の方向に関する原稿のサイズを判定する第１の判定手段を含むことを特徴とする請求項４に記載の画像読取装置。
【請求項６】
前記照射手段及び前記受光手段を前記第１の方向と交差する第２の方向に移動させる移動手段と、
前記第２の方向の前記原稿のサイズを検出する検出手段とをさらに有し、
前記検出手段は、前記第２の方向に設けられる複数のセンサを含み、
前記判定手段は、前記複数のセンサそれぞれからの検知の結果に基づいて、前記第２の方向に関する前記原稿のサイズを判定する第２の判定手段を含むことを特徴とする請求項５に記載の画像読取装置。
【請求項７】
前記判定手段は、前記第１の判定手段による判定の結果と前記第２の判定手段による判定の結果との組み合わせから前記原稿のサイズを判定することを特徴とする請求項６に記載の画像読取装置。
【請求項８】
前記判定手段はさらに、前記複数の受光量の可変部のうち、前記突き当て手段において前記シートの突き当ての基準となる位置に最も近い場所に設けられた受光量の可変部における受光量から前記原稿台における原稿の有無を判定することを特徴とする請求項６又は７に記載の画像読取装置。
【請求項９】
前記判定手段は、前記受光量に変化があると判定された場合に、前記原稿の有無の判定を行なうことを特徴とする請求項８に記載の画像読取装置。
【請求項１０】
前記判定手段は、前記原稿台に原稿が載置されていると判定された場合に、前記第１の判定手段による判定と前記第２の判定手段による判定とを行うことを特徴とする請求項９に記載の画像読取装置。
【請求項１１】
ユーザからの画像読取開始を受付ける受付手段と、
前記受付手段により画像読取開始の指示が受付られた場合に、前記判定手段が前記原稿のサイズを決定できない場合、前記ユーザに前記原稿のサイズの入力を促すメッセージを表示する表示手段とをさらに有することを特徴とする請求項７乃至１０のいずれか１項に記載の画像読取装置。
【請求項１２】
原稿を載置する原稿台と、前記原稿台に載置された前記原稿に光を照射する照射手段と、前記原稿からの反射光を受光する受光手段とを備えた画像読取装置における原稿の状態の検知方法であって、
前記原稿が前記原稿台に載置される際に突き当てられると共に、突き当てられる原稿の有無に応じて前記受光手段が受光する受光量を変化させる受光量の可変部を有する突き当て手段を備え、前記受光量の可変部の作用により変化する前記受光手段の受光の結果に基づいて、前記原稿台の原稿の状態を判定することを特徴とする原稿の状態の検知方法。
【発明の詳細な説明】
【技術分野】
【０００１】
本発明は画像読取装置、及び原稿の状態の検知方法に関し、特に、例えば、原稿に記録された画像を光学的に読取る画像読取装置、及び原稿の状態の検知方法に関する。
【背景技術】
【０００２】
画像読取装置として、ガラスなどの透過部材で構成される原稿台に載置された原稿に対し、その原稿台を通してＬＥＤなどの光源から原稿に光を照射し、その反射光をＣＩＳなどのセンサを用いて画像を読取るフラットベッドスキャナが知られている。このような画像読取装置では、上記センサを所定の方向（以下、副走査方向）に移動させることによって原稿全体の画像を読取り、その読取りにより生成された画像データを出力する。
【０００３】
さてフラットベッドスキャナにより取得された画像データを用いて、原稿のサイズを検知する場合、ＣＩＳなどのセンサを固定し、そのセンサの複数の読取素子の配列方向（主走査方向）のみの検知を行う一方、副走査方向に関しては専用のセンサを用いる。
【０００４】
また、フラットベッドスキャナでは、原稿台を覆うプラテンカバーを用いて外光の影響を無くし、出力画像に外光が映り込まないようにしている。しかし、ユーザは原稿の載置後にプラテンカバーを閉じる必要があるので、多くの原稿を読取ろうとすると手間がかかってしまう。
【０００５】
また、原稿台に載せたときにプラテンカバーが閉じられないような厚い原稿を読取るときは、プラテンカバーを開けて読取る必要がある。しかし、プラテンカバーを開けて原稿を読取ると外光の影響を受けて出力画像には、外光が映り込んでしまう。このような場合、画像読取装置は、原稿サイズを正確に検知できない可能性がある。例えば、室内に設置された画像読取装置の上方に蛍光灯等の光源がある場合、その光源からの外光（白色光）が原稿読取面に筋状に入射し、原稿読取面を走査するスキャナが外光による反射成分を原稿の一部として読取ってしまう。その結果、原稿サイズが正確に検知されないのである。
【０００６】
このような問題に対応するため、例えば、特許文献１で提案された画像読取処理システムがある。このシステムでは、プラテンカバーの開閉状態を検知するセンサと外光光量を検知するセンサとを新たに設け、画像読取動作に際し、２つのセンサの検出結果に応じて画像処理条件を選択して、外光成分による読取り画像データの劣化分を補正するようにしている。 
【先行技術文献】
【特許文献】
【０００７】
【特許文献１】特開２００２−１８５７９６号公報
【発明の概要】
【発明が解決しようとする課題】
【０００８】
しかしながら上記従来例では、読取センサ等のように、光を照射して原稿からの反射光を用いて原稿の主走査方向のサイズ検知を行う場合、プラテンカバーのような原稿押圧部材を閉じた状態では、原稿押圧部材と原稿の判別ができない。このため、原稿押圧部材が閉じる前に原稿の有無及びサイズ等の原稿の状態を検知する必要があり、そのために原稿押圧部材の開閉状態を検知するセンサが必要となり、装置がコストアップするという問題があった。
【０００９】
本発明は上記従来例に鑑みてなされたもので、安価な構成でプラテンカバーの開閉に係らず原稿の状態を検知できる画像読取装置、及び原稿の状態の検知方法を提供することを目的としている。
【課題を解決するための手段】
【００１０】
上記目的を達成するために本発明の画像読取装置は次のような構成からなる。
【００１１】
即ち、原稿台に載置された原稿に光を照射する照射手段と、前記照射手段から照射された光の反射光を受光する受光手段と、前記原稿が前記原稿台に載置される際に突き当てられると共に、突き当てられる原稿の有無に応じて前記受光手段が受光する受光量を変化させる受光量の可変部を有する突き当て手段と、前記受光量の可変部の作用により変化する前記受光手段の受光の結果に基づいて、前記原稿台の原稿の状態を判定する判定手段とを有することを特徴とする。
【発明の効果】
【００１２】
従って本発明によれば、プラテンカバーの開閉検知を必要とせず、安価で簡単な構成で正確に原稿台の原稿の状態を検知することできるという効果がある。
【図面の簡単な説明】
【００１３】
【図１】本発明の代表的な実施例である光学的にシート原稿状の画像を読取る画像読取装置の構成を示す側断面図である。
【図２】図１に示す画像読取装置の制御構成を示すブロック図である。
【図３】原稿先端基準板の形状を表す斜視図である。
【図４】原稿先端基準板とＣＩＳユニットの位置関係を示した図である。
【図５】原稿先端基準板の凹形状と副走査方向に設けられた２つのサイズセンサの位置を示した図である。
【図６】原稿サイズ検知処理を示すフローチャートである。
【図７】各センサの検出結果と原稿サイズの判定結果の関係を示す図である。
【発明を実施するための形態】
【００１４】
以下添付図面を参照して本発明の好適な実施例について、さらに具体的かつ詳細に説明する。
【００１５】
なお、この明細書において、「シート（又は、記録媒体）」とは、一般的な画像読取装置で用いられる画像の原稿用紙や印画紙のみならず、広く、布、プラスチック・フィルム（ＯＨＰ）、金属板、木材、皮革等、画像の記録が可能な媒体を含むものである。
【００１６】
・画像読取装置の概要（図１〜図３）
図１は本発明の代表的な実施例である光学的にカット紙などのシート原稿の画像を読取る画像読取装置１の概略構成を示す側断面図である。画像読取装置１はＣＩＳユニット１３を使用して光を原稿に照射し、原稿による反射光を受光し、これを光電変換して電気信号を生成することにより、原稿の画像を読取り画像データを生成する。
【００１７】
図１に示すように、ＣＩＳユニット１３は照明部１３１と光学レンズ１３３と撮像部１３４とにより構成され、原稿の載置側とは反対側に原稿台ガラス１４に密着するように配置される。照明部１３１は光源として赤色ＬＥＤ、緑色ＬＥＤ及び青色ＬＥＤの３つを備えた白色タイプの導光管を含み、原稿台ガラス１４に対して所定角度だけ傾斜する方向から原稿を照明する。原稿台ガラス１４の上部にはプラテンカバー８が備えられる。プラテンカバー８はその一辺が画像読取装置の一辺に固定され、その固定された辺を回転軸として回転し、原稿台ガラス１４に対して開閉可能である。
【００１８】
また、光学レンズ１３３はセルフォックレンズ（登録商標）等から構成され、照明部１３１から照射され原稿面にて反射された光を、所定の結像位置へと導き、原稿からの反射光を等倍で読み取る。
【００１９】
撮像部１３４は複数の光電変換素子等から構成され、光学レンズ１３３により所定の結像位置へと導かれた光を撮像する。この実施例では、撮像部１３４はＣＭＯＳセンサであるとする。撮像部１３４で撮像された原稿から生成された画像データは、画像記憶部（後述）に格納される。このような構成のＣＩＳユニット１３は駆動ベルト１６に装着され、ガイドレール１７に沿って副走査方向にスキャナモータ１８の駆動力が駆動ベルト１６を介して伝達されることにより移動する。  
画像読取装置１は、ＣＩＳユニット１３をスキャナモータ１８の駆動力により副走査方向に移動させながら、ＣＩＳユニット１３を紙面とは垂直（一般には交差）方向（主走査方向）に電気的に走査することにより原稿１５の画像を読取る。一般的に、スキャナモータ１８にはステッピングモータやＤＣモータ等が用いられる。また、画像読取時には、原稿台ガラス１４の端部に設けられた白色基準板１２に光を照射して、その反射光からシェーディング補正を行うための基準信号を得る。また、白色基準板１２の横にはユーザが原稿１５を先端基準位置に突き当てるための原稿先端基準板１１が取り付けられている。原稿先端基準板１１は原稿台ガラス１４の上面に配置される。
【００２０】
また、原稿台ガラス１４の下部には原稿の副走査方向のサイズを検知するためのサイズセンサ１９１とサイズセンサ１９２とを設けている。サイズセンサ１９１とサイズセンサ１９２はそれぞれ、受光部と発光部を備え、原稿１５からの反射光の有無の判定をすることができる。
【００２１】
以上の構成において、原稿台ガラス１４に載置された原稿の画像読取を行う際には、予め白色基準板１２を用いたシェーディング補正が行われる。同時にＬＥＤ光源の光量調整が行われ、露光量を一定に保つ。ＬＥＤ光量は主走査方向に１ライン毎の点灯する時間をＰＷＭ制御のデューティ比を変化させることで調整を行っている。
【００２２】
図２は図１に示した画像読取装置１の制御構成を示すブロック図である。
【００２３】
ＣＩＳユニット１３はＬＥＤ駆動回路（ドライバ）３により主走査方向に１ライン毎に照明部１３１の光量調整で行った点灯時間に合わせ、原稿の画像を読取る。ＬＥＤ駆動回路３は照明部１３１を任意のＰＷＭのデューティで点灯させることが可能である。
【００２４】
増幅器（ＡＭＰ）２１はＣＩＳユニット１３より出力された電気信号を増幅し、Ａ／Ｄ変換回路２２はその増幅された電気信号をＡ／Ｄ変換して、例えば、各画素を１６ビットの輝度値として表現するデジタル画像データを出力する。なお、Ａ／Ｄ変換回路２２を含め、Ａ／Ｄ変換のために必要な構成をまとめて変換部という。Ａ／Ｄ変換回路２２により出力されたデジタル画像データ（以下、画像データ）はＣＰＵ５に入力され、ＣＰＵ５はＲＯＭ５２に格納された制御プログラムをＲＡＭ５１を作業領域として用いて実行し、その画像データに画像処理を施す。また、ＣＰＵ５はその画像データをＲＡＭ５１のバッファ領域に記憶する。
【００２５】
この画像データはインタフェース（不図示）を介して接続されたインクジェット方式や電子写真方式に従うプリンタやＰＣなどの外部装置に転送される。なお、その外部装置はネットワークを介したサーバやＵＳＢメモリなどでも良い。
【００２６】
タイミング発生回路４はＣＰＵ５の設定に応じて、主走査方向に１ライン毎のＰＷＭデューティを変化させて、ＬＥＤ駆動回路３にＬＥＤの点灯ＯＮ／ＯＦＦの制御信号を送信することでＬＥＤの光量調整を可能にしている。
【００２７】
操作部７はディスプレイ等の表示部と入力キー等の入力操作部を備え、ユーザインタフェースとしての機能を提供する。その表示部のディスプレイには、機器の状態をユーザに通知したり、ユーザに入力操作を案内するためのメッセージが表示される。また、ユーザは入力キーを操作して必要な指示を入力する。
【００２８】
サイズセンサ１９１とサイズセンサ１９２とはＣＰＵ５と接続され、原稿台ガラス１４に載置された原稿１５がそれぞれの上部にあるか否かを示す信号をＣＰＵ５に出力する。これにより、ＣＰＵ５は副走査方向の原稿サイズを判定することができる。
【００２９】
また、ＣＰＵ５はモータドライブ回路９１を介してスキャナモータ１８の駆動を制御する。
【００３０】
さらに、ＣＩＳユニット１３の照明部１３１は青色ＬＥＤ１３１１、緑色ＬＥＤ１３１２、及び赤色ＬＥＤ１３１３の３つの光源を備え、これら３つの光源により白色光を生成することができる。
【００３１】
次に、以上の構成の画像読取装置が実行する原稿サイズ検知方法について説明する。
【００３２】
図３は原稿先端基準板の形状を表す斜視図である。
【００３３】
図３に示すように原稿先端基準板１１は原稿台ガラス１４に接する面に凹形状を３ヶ所設けている。３つの凹形状１１Ａ、１１Ｂ、１１Ｃそれぞれは原稿１５が原稿先端基準板１１に突き当てられた際に、照明部１３１から照射される光が遮断され影になるように形成されている。凹形状１１Ａが原稿突き当て位置に最も近い場所に、凹形状１１Ｃが最も遠い場所に、凹形状１１Ｂがその中間の場所に設けられる。
【００３４】
図４は原稿先端基準板とＣＩＳユニットの位置関係を示した図である。
【００３５】
図４に示すように、原稿サイズ検知を行う際、ＣＩＳユニット１３は原稿先端基準板１１の端部が読取可能な位置に移動し、照明部１３１を点灯した状態で画像を読取る。
【００３６】
図４（ａ）に示すように、プラテンカバー８が開いた状態で原稿１５が載置されていない場合、照明部１３１から照射される光は遮断されることがないため原稿先端基準板１１の凹形状部分は光学レンズ１３３を介して撮像部１３４では高輝度で読取られる。
【００３７】
また、図４（ｂ）に示すように、プラテンカバー８が閉じた状態で原稿１５が載置されていない場合、プラテンカバー８は原稿先端基準板１１の上部にあるため照明部１３１から照射される光は遮断されることがない。このため同様に原稿先端基準板１１の凹形状部分は光学レンズ１３３を介して撮像部１３４では高輝度で読取られる。
【００３８】
一方、図４（ｃ）と図４（ｄ）に示すように原稿１５が載置されている場合、照明部１３１から照射される光は原稿１５によって遮断されるため原稿先端基準板１１の凹形状部分は影となり光学レンズ１３３を介して撮像部１３４では低輝度で読取られる。
【００３９】
このようにしてプラテンカバー８の開閉に関係なく、撮像部１３４で得られた輝度から原稿先端基準板１１に原稿１５が突き当てられているかを判断することができる。
【００４０】
図５は原稿先端基準板の凹形状と副走査方向に設けられた２つのサイズセンサの位置を示した図である。
【００４１】
図５に示されるように、サイズセンサ１９１はサイズセンサ１９２よりも副走査方向に関して原稿先端基準板１１の側に配置され、原稿台ガラス１４に載置された原稿１５がＢ５Ｒ以上のサイズだった場合、原稿１５からの反射光を検知できる。同様に、サイズセンサ１９２は原稿台ガラス１４に載置された原稿１５がＡ４Ｒ以上のサイズだった場合、原稿１５からの反射光を検知できる。このように副走査方向の原稿サイズについてはこれらセンサからの検出情報によって判定することができる。
【００４２】
また、原稿先端基準板１１に設けられた凹形状１１Ａは原稿突き当て位置（図５の左上端）の付近で原稿サイズがＢ５より小さくても突き当たる位置にあり、原稿が原稿台ガラス１４の上に載置されている状態かどうかを判定するために用いられる。また、凹形状１１ＢはＢ５以上のサイズの原稿が突き当たる位置に設けられており、凹形状１１ＣはＡ４以上のサイズの原稿が突き当たる位置にある。従って、凹形状１１Ｂ及び凹形状１１Ｃは原稿の主走査方向のサイズを判定するために用いられる。このように、原稿先端基準板１１の凹形状の位置に生じる原稿１５の影を読取ることで主走査方向の原稿サイズと原稿が原稿台ガラス１４に載置されているかどうかを判定することができる。
【００４３】
以上説明したように、これら副走査方向と主走査方向のサイズ検知の手段それぞれからの判定結果の組み合わせで原稿台ガラス１４に載置された原稿のサイズを判定することができる。
【００４４】
図６は原稿サイズ検知処理を示すフローチャートである。
【００４５】
画像読取装置で画像読取が可能な状態になると、ステップＳ１０１では初期状態として原稿１５のサイズを不定としてＲＡＭ５１に記憶する。次に、ステップＳ１０２では、ＣＩＳユニット１３を原稿先端基準板１１の凹形状を読取可能な位置である原稿サイズ検知位置に移動させる。さらに、ステップＳ１０３では照明部１３１を点灯させる。この時、原稿１５のサイズを検知するための読取ができれば良いため、通常の画像読取に比べ、大きな光量は必要としない。従って、ステップＳ１０３では通常読取とは異なるデューティ（通常の画像読取より少ない光量）で照明部１３１を点灯させる。
【００４６】
ステップＳ１０４では、ＣＩＳユニット１３を原稿検知位置に停止させた状態で画像読取を開始する。ステップＳ１０５では、読取った原稿先端基準板１１の凹形状の部分に発生する影の有無に変化があるか否かを調べる。ここで、その影に変化があったと判定された場合、処理はステップＳ１０６に進み、その影に変化がなかったと判定された場合、処理はステップＳ１１０に進む。
【００４７】
ステップＳ１０６では原稿１５が原稿台ガラス１４に載置されているか否かを調べる。ここでは、前述したように凹形状１１Ａに発生する影の有無を基準として判定を行い、影があると判定された場合、原稿１５が載置されていると判断し、処理はステップＳ１０７に進む。これに対して、原稿１５は載置されていないと判断された場合、処理はステップＳ１１５に進む。ステップＳ１１５では、原稿１５のサイズは不定としてＲＡＭ５１に記憶し、処理はステップ１１０に進む。
【００４８】
次にステップＳ１０７では、凹形状１１Ｂと凹形状１１Ｃとに発生する影の有無を調べる。ここで、２つの凹形状により影が有ると判定された組み合わせに基づいて、原稿１５の主走査方向のサイズを判定する。さらに、ステップＳ１０８では、サイズセンサ１９１及びサイズセンサ１９２からの出力に基づいて、原稿１５の副走査方向のサイズを判定する。ステップＳ１０９ではこのようにして判定された結果から原稿サイズを決定する。ここで、各センサの検出結果と原稿サイズの判定結果の関係について詳細に説明する。
【００４９】
図７は各センサの検出結果と原稿サイズの判定結果の関係を示す図である。
【００５０】
図７において、第１の凹形状は凹形状１１Ａに、第２の凹形状は凹形状１１Ｂに、第３の凹形状は凹形状１１Ｃに対応し、第１の副走査サイズセンサはサイズセンサ１９１に、第２の副走査サイズセンサはサイズセンサ１９２に対応する。
【００５１】
ステップＳ１０９では、ステップＳ１０７で判定された主走査方向のサイズとステップＳ１０８で判定された副走査方向のサイズとに基づいて、図７に示した原稿サイズと各センサの検出結果との関係から、原稿サイズを決定する。例えば、第２の凹形状及び第３の凹形状の影の判定では原稿を検知し、第１副走査サイズセンサ及び第２の副走査サイズセンサの出力からは原稿を検知しなかった場合、原稿サイズはＡ４と判断する。また、図７に示した組み合わせに該当しない場合、原稿サイズは不定とする。この結果は原稿１５のサイズ情報としてＲＡＭ５１に記憶する。
【００５２】
ステップＳ１１０では、ユーザからの画像読取開始の指示を受付けたかどうかを調べる。ユーザは操作部７を用いて画像読取開始を指示することができ、ステップＳ１１０では、その指示の受付の有無を判断する。ここで、その指示がなかった場合、処理はステップＳ１０５に戻り、原稿の載置に仕方に変化があるかどうかを再度確認する。その指示があった場合、処理はステップＳ１１１に進む。
【００５３】
ステップＳ１１１では、ＣＩＳユニット１３による原稿サイズの読取を終了する。さらに、ステップＳ１１２ではＲＡＭ５１に記憶された原稿サイズが不定であるか否かを調べる。ここで、原稿サイズが不定であると判断された場合、処理はステップＳ１１６に進み、原稿サイズが不定ではないと判断された場合、処理はステップＳ１１３に進む。
【００５４】
ステップＳ１１６では、操作部７においてユーザに原稿サイズが不定であることを示すメッセージを表示し、ユーザによる原稿サイズの入力を促す。ここで、原稿サイズの入力があれば、処理はステップＳ１１３に進む。ステップＳ１１３では、ステップＳ１０９において決定された原稿サイズ、又は、ステップＳ１１６でユーザ入力した原稿サイズにより最終的に原稿サイズを決定し、これをＲＡＭ５１に記憶する。
【００５５】
そして、ステップＳ１１４ではステップＳ１１３で記憶されたＲＡＭ５１の原稿サイズの情報に基づいて、原稿１５のサイズに最適な画像読取動作を実行する。
【００５６】
従って以上説明した実施例に従えば、原稿サイズを自動的に検知することができる。また、原稿先端基準板の影を常に読取ることで原稿がユーザによって載置し直されたかどうかも判定できる。このため、影のデータが変化しているタイミングはユーザによってプラテンカバーが開いていると推測でき、そのタイミングで副走査方向に設けられたサイズセンサによる検知が可能になる。従って、従来技術では必要としていたプラテンカバーの開閉センサも不要となる。
【００５７】
また、原稿先端基準板に生じる影を読取ることでプラテンカバーを閉めた状態で原稿のサイズを検知できるため、フラットヘッドスキャナへの外乱光の影響を受けることなく正確にサイズを検知することができる。また、原稿サイズ検知を行う際には、光源の光量を少なくすることで、ユーザに眩しいと感じさせることがなくなるという利点もある。
【００５８】
従って、安価な構成でプラテンカバーの開閉や外乱光の影響に関わらず、ユーザの手を煩わすことなく、原稿の有無やサイズなどの原稿の状態を検知できる画像読取装置を提供することができる。
【００５９】
なお、以上説明した実施例では原稿先端基準板に凹形状を設けているが、本発明は原稿の影を読取ることができればその形状は凹形状に限定されるものではない。例えば、原稿先端基準板と原稿の間に別部材を設けた構成や、原稿先端基準板と原稿の間に隙間を作る部材を設けプラテンカバーに映る影を読取る構成であっても良い。
【００６０】
また、以上で説明した実施例では、ＣＩＳユニット１３から原稿先端基準板１１に光を照射し、凹形状１１Ａ、１１Ｂ，１１Ｃからに発生する影の有無から原稿の有無やサイズを判定する構成とした。しかしながら、本発明はこれに限定されるものではなく、主走査のサイズ検知用のセンサによって原稿先端基準板１１に光を照射することができる位置に設けて原稿の有無やサイズを判定する構成としてもよい。
【００６１】
さらに、以上で説明した実施例では、凹形状１１Ａ，１１Ｂ，１１Ｃ（受光量の可変部）の作用によってＣＩＳユニット１３による受光量を変化させていた。しかしながら、本発明はこれにより限定されるものではなくい。例えば、原稿先端基準板１１に突き当てられた原稿によって受光量が変化する構成であれば、この形状に限らなくてもよく、更には受光量が変化すれば、形状によるものでなく反射率が変化する部材等どのような構成であっても良い。
【００６２】
さらに、上述した実施例では、単機能の画像読取装置（スキャナ装置）を例として説明したが本発明はこれによって限定されるものではない。本発明は、例えば、画像読取装置（スキャナ装置）と画像形成装置（ＬＢＰ）とＡＤＦ装置が一体化した複写機システムにも適用できるし、さらに複写機システムにファクシミリ機能を加えた複合システムとしても良い。そして、これらシステムの画像形成部には電子写真方式に従うプリンタエンジンのみならず、インクジェット記録方式を採用したプリンタエンジンを備えても良い。
【符号の説明】
【００６３】
３  ＬＥＤ駆動回路、４  タイミング発生回路、５  ＣＰＵ、７  操作部、
８  プラテンカバー、１１  原稿先端基準板、１１Ａ、１１Ｂ、１１Ｃ  凹形状、
１２  白色基準板、１３  ＣＩＳユニット、１４  原稿台ガラス、１５  原稿、
１６  駆動ベルト、１７  ガイドレール、１８  スキャナモータ、２１  増幅器、
２２  Ａ／Ｄ変換回路、１３１  照明部、１３３  光学レンズ、１３４  撮像部、
１９１〜１９２  サイズセンサ
【図１】
2018014598.tif 000003
【図２】
2018014598.tif 000004
【図３】
2018014598.tif 000005
【図４】
2018014598.tif 000006
【図５】
2018014598.tif 000007
【図６】
2018014598.tif 000008
【図７】
2018014598.tif 000009